(57)【要約】【課題】住宅の増築工事において、施工の省力化、コストダウン及び廃棄物の削減を図る登り梁の延長工法を提供すること。【解決手段】既存大棟の中間部下の垂直部材１０１の頂部１１０に設置される平部８と、垂直部材１０１の上端部１０２に設置された頂部母屋受け１０６に設置される頂部母屋受け接続部６と、該頂部母屋受け接続部６の一側中央部から既存登り梁１００の立上り角度と略等しい立上り角度θで立り上がる登り梁接続部８とを有する登り梁延長金具３を用い、新規登り梁１の端部２を垂直部材１０１の上端部に設置するとともに、下端部に増築部側の既存登り梁１０３に設置される登り梁束接続金具５と上端部に新規登り梁１に接続する新規登り梁接続部１１とを有する新規登り梁束４を用い、新規登り梁束４を新規登り梁１と増築側の既存登り梁１０３との間に鉛直に立設させることにより、既存大棟の中間部に設置された登り梁１００を増築部側の新規大棟の端部に向って延長する。【選択図】　　　図２
2004027745.tif 000002
【特許請求の範囲】
【請求項１】
住宅の増築工事の際に既存大棟の中間部に設置された登り梁を増築部側の新規大棟の端部に向って延長する登り梁の延長工法であって、
前記既存大棟の中間部下の垂直部材の頂部に設置される平部と、前記垂直部材の上端部に設置された頂部母屋受けに設置される頂部母屋受け接続部と、該頂部母屋受け接続部の一側中央部から既存登り梁の立上り角度と略等しい立上り角度で立り上がる登り梁接続部とを有する登り梁延長金具を用い、新規登り梁の端部と前記登り梁接続部とを締結具で締結することにより、前記新規登り梁の端部を前記登り梁接続部に接続し、前記平部と前記垂直部材の頂部とを締結具で締結し、前記頂部母屋受け接続部と前記頂部母屋受けとを締結具で締結することにより、前記新規登り梁の端部を前記垂直部材の上端部に設置するとともに、
下端部に増築部側の既存登り梁に設置される登り梁束接続金具と上端部に前記新規登り梁に接続する新規登り梁接続部とを有する新規登り梁束を用い、前記登り梁束接続金具と前記増築部側の既存登り梁とを締結具で締結することにより、前記登り梁束接続金具を前記増築部側の既存登り梁に固定し、前記新規登り梁束接続部と前記新規登り梁とを締結具で締結することにより、前記新規登り梁束接続部を前記新規登り梁に接続して、前記新規登り梁束を前記新規登り梁と前記増築側の既存登り梁との間に鉛直に立設させることを特徴とする登り梁の延長工法。
【請求項２】
住宅の増築工事の際に既存大棟の中間部に設置された登り梁を増築部側の新規大棟の端部に向って延長する登り梁の延長工法であって、
前記既存大棟の中間部下の垂直部材の頂部に設置される平部と、前記垂直部材の上端部に設置された頂部母屋受けに設置される頂部母屋受け接続部と、該頂部母屋受け接続部の一側中央部から既存登り梁の立上り角度と略等しい立上り角度で立り上がり、新規登り梁の端部を接続した登り梁接続部とを有する登り梁延長金具を用い、前記平部と前記垂直部材の頂部とを締結具で締結し、前記頂部母屋受け接続部と前記頂部母屋受けとを締結具で締結することにより、前記新規登り梁の端部を前記前記垂直部材の上端部に設置するとともに、
下端部に増築部側の既存登り梁に設置される登り梁束接続金具と上端部に前記新規登り梁に接続する新規登り梁接続部とを有する新規登り梁束を用い、前記登り梁束接続金具と前記増築部側の既存登り梁とを締結具で締結することにより、前記登り梁束接続金具を前記増築部側の既存登り梁に固定し、前記新規登り梁束接続部と前記新規登り梁とを締結具で締結することにより、前記新規登り梁束接続部を前記新規登り梁に接続して、前記新規登り梁束を前記新規登り梁と前記増築側の既存登り梁との間に鉛直に立設させることを特徴とする登り梁の延長工法。
【発明の詳細な説明】
【０００１】
【発明の属する技術分野】
本発明は、住宅の増築時の増築工事に際し、既存住宅の小屋組を全面解体することなく登り梁を延長することができる母屋の延長工法に関する。
【０００２】
【従来の技術】
寄棟造りの住宅の桁側面に増築すると、増築後では増築前と比べて、棟高さが高くなったり、棟方向が変わったりして、小屋組架構全体が変わることが多い（図１参照）。
【０００３】
このような場合には、増築後の新しい小屋組に対応させて既存大棟の中間部に設置された既存登り梁の上端部に他の部材を継ぎ足すか、既存登り梁をより長い部材に交換するかして、登り梁を新規大棟の端部に向って延長する必要が生じる。このため、従来は、既存の小屋組を全面的に解体して、新しい小屋組に施工し直していた。
【０００４】
【発明が解決しようとする課題】
しかしながら、既存の小屋組を全面的に解体して、新しい小屋組に施工し直すので、多くの時間と労力を要し、施工期間が長くなるだけでなく、作業性が悪いという問題点があった。
【０００５】
また、小屋組の各構成部材が鋼等の金属からなる場合には、溶接により登り梁を延長させることは可能ではあるが、作業性が悪いだけでなく、顧客が既存の住宅内で従来通り生活を営むことを考慮すると、十分な安全性を確保することが困難であるという問題点があった。
【０００６】
更に、既存の小屋組を全面解体することにより、多量の産業廃棄物が発生し、これを運搬して処理するために、費用がかかるという問題点があった。
【０００７】
更にまた、多くの場合は、増築工事中であっても顧客が既存住宅の住宅内で生活を営むため、短期間で増築工事を終了することが望ましいが、施工期間の長期化に伴い顧客に不便を強いる期間が長くなり、顧客の負担が大きくなるという問題点があった。
【０００８】
本発明は、上記課題に鑑みてなされたものであり、住宅の増築工事において、施工の省力化、コストダウン及び廃棄物の削減を図る登り梁の延長工法を提供することを目的とする。
【０００９】
【課題を解決するための手段】
前記目的を達成するためになされた本発明の請求項１に記載の登り梁の延長工法は、住宅の増築工事の際に既存大棟の中間部に設置された登り梁を増築部側の新規大棟の端部に向って延長する登り梁の延長工法であって、前記既存大棟の中間部下の垂直部材の頂部に設置される平部と、前記垂直部材の上端部に設置された頂部母屋受けに設置される頂部母屋受け接続部と、該母屋受け接続部の一側中央部から既存登り梁の立上り角度と略等しい立上り角度で立り上がる登り梁接続部とを有する登り梁延長金具を用い、新規登り梁の端部と前記登り梁接続部とを締結具で締結することにより、前記新規登り梁の端部を前記登り梁接続部に接続し、前記平部と前記垂直部材の頂部とを締結具で締結し、前記頂部母屋受け接続部と前記頂部母屋受けとを締結具で締結することにより、前記新規登り梁の端部を前記垂直部材の上端部に設置するとともに、下端部に増築部側の既存登り梁に設置される登り梁束接続金具と上端部に前記新規登り梁に接続する新規登り梁接続部とを有する新規登り梁束を用い、前記登り梁束接続金具と前記増築部側の既存登り梁とを締結具で締結することにより、前記登り梁束接続金具を前記増築部側の既存登り梁に固定し、前記新規登り梁束接続部と前記新規登り梁とを締結具で締結することにより、前記新規登り梁束を前記新規登り梁と前記増築側の既存登り梁との間に鉛直に立設させることを特徴とするものである。
【００１０】
請求項２に記載の登り梁の延長工法は、住宅の増築工事の際に既存大棟の中間部に設置された登り梁を増築部側の新規大棟の端部に向って延長する登り梁の延長工法であって、前記既存大棟の中間部下の垂直部材の頂部に設置される平部と、前記垂直部材の上端部に設置された頂部母屋受けに設置される頂部母屋受け接続部と、該母屋受け接続部の一側中央部から既存登り梁の立上り角度と略等しい立上り角度で立り上がり、新規登り梁の端部を接続した登り梁接続部とを有する登り梁延長金具を用い、前記平部と前記垂直部材の頂部とを締結具で締結し、前記頂部母屋受け接続部と前記頂部母屋受けとを締結具で締結することにより、前記新規登り梁の端部を前記前記垂直部材の上端部に設置するとともに、下端部に増築部側の既存登り梁に設置される登り梁束接続金具と上端部に前記新規登り梁に接続する新規登り梁接続部とを有する新規登り梁束を用い、前記登り梁束接続金具と前記増築部側の既存登り梁とを締結具で締結することにより、前記登り梁束接続金具を前記増築部側の既存登り梁に固定し、前記新規登り梁束接続部と前記新規登り梁とを締結具で締結することにより、前記新規登り梁束接続部を前記新規登り梁に接続して、前記新規登り梁束を前記新規登り梁と前記増築側の既存登り梁との間に鉛直に立設させることを特徴とするものである。
【００１１】
【発明の実施の形態】
以下、本発明の実施の形態について図面に基づいて説明する。本実施の形態に係る登り梁の延長工法は、図１に示すように、既存大棟の中間部に設置された既存登り梁１００を増築部側の新規大棟の端部に向って延長する登り梁の延長工法であって、図２に示すように、既存大棟の中間部下の垂直部材である既存登り梁真束１０１の上端部１０２に新規登り梁１の端部２を登り梁延長金具３を用いて固定するとともに、増築部側の既存登り梁１０３と新規登り梁１との間に新規登り梁束４を登り梁束接続金具５を用いて設置することにより行う。以下、更に詳細に説明する。
【００１２】
既存登り梁１００及び増築部側の既存登り梁１０３は、図２に示すように、２本のＣ型鋼１０４をボルト締めで締結し、開口部が互い外側を向き、かつ、所望の間隔の隙間を確保したものであって、既存大棟から既存大梁の端部に向って斜め下方に下るように既存登り梁真束１０１及び既存登り梁束１０５に支持されている。
【００１３】
既存登り梁真束１０１は、既存登り梁１００と同様の構成であり、既存登り梁束１０５は、１本のＣ型鋼１０４から構成されている。また、既存登り梁真束１０１及び既存登り梁束１０５の上端部には登り梁接続部が、下端部には大梁接続部がそれぞれ設けられている。
【００１４】
また、既存登り梁真束１０１の上端部１０２には断面略Ｌ字型の頂部母屋受け１０６が、既存登り梁１００及び増築部側の既存登り梁１０３の上面には断面略Ｌ字形の母屋受け１０７がそれぞれ設けられている。また、母屋を受ける受け部１０８、１０９には母屋を固定するための貫通孔１０８ａ、１０９ａがそれぞれ穿設されている（図９又は図１１参照）。
【００１５】
新規登り梁１は、図２に示すように、既存登り梁１００及び増築部側の既存登り梁１０３と同様の構成であって、所定の間隔をおいて登り梁延長金具３や新規登り梁束４に接続するための貫通孔１ａが穿設されている（図１１参照）。
【００１６】
登り梁延長金具３は、図３に示すように、両端部に貫通孔６ａが穿設された略長方形の頂部母屋受け接続部６と、両端部に貫通孔７ａが穿設された略長方形の平部７と、頂部母屋受け接続部６の背側面中央部から水平方向に対して図２に示す大梁と既存登り梁１００とがなす角度αと略等しい立上り角度（以下、「立上り角度α」という。）で立ち上がり、頂部母屋受け接続部６と対向する端部に２個の貫通孔８ａが穿設された登り梁接続部８と、頂部母屋受け接続部６と平部７とを繋ぐ補強部９とを有している。
【００１７】
頂部母屋受け接続部６は、図４又は図５に示すように、その長さは頂部母屋受け１０６の受け部１０８の長さと略等しく、貫通孔６ａは、頂部母屋受け接続部６を頂部母屋受け１０６の受け部１０８にあてがったときに頂部母屋受け１０６の受け部１０８の貫通孔１０８ａと略一致する位置に穿設されている。
【００１８】
平部７は、その長さは頂部母屋受け接続部６の長さと略等しく、貫通孔７ａは、頂部母屋受け接続部６を頂部母屋受け１０６の受け部１０８にあてがったときに既存登り梁真束１０１の頂部１１０に穿設された貫通孔１１０ａと略一致する位置に穿設されている。
【００１９】
登り梁接続部８は、その長さは特に限定されないが、その厚さは新規登り梁１の２本のＣ型鋼１０４の隙間と略等しく、２個の貫通孔８ａは、その中心を結ぶ線が水平方向に対して立上り角度αをなし、その間隔が新規登り梁１の貫通孔１ａと略等しい間隔となる位置に穿設されている。これにより、登り梁延長金具３を既存登り梁真束１０１に固定すると、登り梁接続部８は既存登り梁１００の延長上に位置することとなる。
【００２０】
補強部９は、その一端部が頂部母屋受け接続部６の端縁に、その下端部が平部７の端縁にそれぞれ固着されることにより、頂部母屋受け接続部６と平部７との間に隙間１０を確保しながら頂部母屋受け接続部６と平部７とを繋いでいる。
【００２１】
また、新規登り梁束４は、図６に示すように、既存登り梁束１０５と同様の構成であって、上端部には貫通孔１１ａが穿設された新規登り梁接続部１１が、下端部には登り梁束接続金具５が設けられている。新規登り梁接続部１１の２個の貫通孔１１ａは、その中心を結ぶ線が水平方向に対して立上り角度αをなし、その間隔が新規登り梁１の貫通孔１ａと略等しい間隔となる位置に穿設されている（図１１参照）。
【００２２】
登り梁束接続金具５は、図６に示すように、略長方形の設置部１２と、該設置部１２の上面に設置部１２の長手方向と略平行かつ幅方向の中央部に所定の立上り角度βをなして設置された登り梁束接続部１３と、設置部１２の下面に設置部１２の長手方向と略平行かつ幅方向の中央部に略９０°をなして突設され、設置部１２と対向する端部に貫通孔１４ａが穿設された既存登り梁接続部１４と、設置部１２の一端から略９０°をなして立ち上がり、その両端部に貫通孔１５ａが穿設された母屋受け接続部１５と、設置部１２の両側縁から略９０°をなして立ち上がり、一端部に母屋受け接続部１５の側縁をそれぞれ固着した補強部１６とを有するものである。
【００２３】
設置部１２は、図７又は図８に示すように、増築部側の既存登り梁１０３の上面に設置するものであり、その幅は母屋受け１０７の受け部１０９の幅と略等しく、その長さは母屋受け１０７の設置間隔より短い。また、母屋受け接続部１５と対向する端部の下面に母屋受け１０７の厚さと略等しい厚さの不陸調節部１７を設けている。
【００２４】
登り梁束接続部１３は、新規登り梁束４の下端部を登り梁束接続金具５に接続するためのものであり、その一側面中央部に登り梁束接続部１３を補強するための補強リブ１８を設けている。登り梁束接続部１３の長さ方向の位置は、登り梁束接続金具５を増築部側の既存登り梁１０３に設置したときに新規登り梁束４が既存登り梁束１０５の真上となる位置とする。また、立上り角度βを９０°に図２既存登り梁１００の立上り角度αを足した角度として、登り梁束接続金具５を増築部側の既存登り梁１０３に設置したときに、登り梁束接続部１３を増築部側の既存登り梁１０３に鉛直に立設させる。
【００２５】
なお、本実施の形態では、新規登り梁束４と登り梁束接続部１３との接続は溶接により行うが、これに限定されるものではなく、図示はしないが、新規登り梁束４の下端部及び登り梁束接続部１３の上端部に貫通孔をそれぞれ穿設して、ボルト締めで新規登り梁束４を登り梁束接続部１３に接続することにより行ってもよい。
【００２６】
既存登り梁接続部１４は、登り梁束接続金具５を増築部側の既存登り梁１０３に設置するためのものであり、その厚さは増築部側の既存登り梁１０３の２本のＣ型鋼１０４の隙間と略等しくし、その長さはＣ型鋼１０４のウェブの長さより長くしている。
【００２７】
母屋受け接続部１５は、母屋受け１０７の受け部１０９に固定されて登り梁束接続金具５を増築部側の既存登り梁１０３に固定するものであり、その幅は母屋受け１０７の受け部１０９の幅と略等しく、その高さは母屋受け１０７の受け部１０９の高さと略等しくしている。貫通孔１５ａは、設置部１２を増築部側の既存登り梁１０３の上面に置いたときに、母屋受け１０７の受け部１０９の貫通孔１０９ａと略一致する位置に穿設されている（図１１参照）。
【００２８】
補強部１６は、図６に示すように、登り梁束接続金具５の補強を図るものであり、設置部１２の母屋受け接続部１５の方の下隅角部に水がたまらないように、該下隅角部と接する縁辺の一部分を切り欠いて水抜き部１９を設けている。
【００２９】
以下、新規登り梁１の端部２の既存登り梁真束１０１の上端部１０２への接続について説明する。まず、図９に示すように、新規登り梁１を構成する２本のＣ型鋼１０４の間に登り梁延長金具３の登り梁接続部８を挿入して、新規登り梁１の端部２の貫通孔１ａと登り梁延長金具３の登り梁接続部８の貫通孔８ａとをボルトナットで構成される締結具２００で締結することにより、新規登り梁１の端部２を登り梁延長金具３に接続する。
【００３０】
そして、増築部側の頂部母屋受け１０６を登り梁延長金具３の隙間１０に嵌め入れ、増築部側の頂部母屋受け１０６の受け部１０８に登り梁延長金具３の頂部母屋受け接続部６をあてがい、受け部１０８の貫通孔１０８ａと頂部母屋受け接続部６の貫通孔６ａとを締結具２００で締結し、既存登り梁真束１０１の頂部１１０に登り梁延長金具３の平部７を載置し、頂部１１０の貫通孔１１０ａと平部７の貫通孔７ａとを締結具２００で締結することにより、登り梁延長金具３を増築部側の頂部母屋受け１０６及び既存登り梁真束１０１の頂部１１０に固定する。これにより、図４及び図５に示すように、新規登り梁１の一端部２が既存登り梁真束１０１の上端部１０２に接続され、既存登り梁１００の延長上に位置することとなる。
【００３１】
次に、新規登り梁束４の増築部側の既存登り梁１０３への設置について説明する。まず、図１０に示すように、増築部側の既存登り梁１０３の２本のＣ型鋼１０４の間に登り梁束接続金具５の既存登り梁接続部１４を挿入し、登り梁束接続金具５の設置部１２を増築部側の既存登り梁１０３の上面に載置し、増築部側の既存登り梁１０３の下面から突出した既存登り梁接続部１４の突出部分の両側に一方に貫通孔２０ａが穿設された２枚の折れ形のプレート２０をそれぞれあてがい、各プレート２０の貫通孔２０ａと既存登り梁接続部１４の貫通孔１４ａとを締結具２００で締結することにより登り梁束接続金具５を増築部側の既存登り梁１０３の上面に設置する。
【００３２】
また、図１１に示すように、登り梁束接続金具５の母屋受け接続部１５を既存登り梁束１０５近傍の母屋受け１０７の受け部１０９にあてがい、母屋受け接続部１５の貫通孔１５ａと受け部１０９の貫通孔１０９ａとを締結具２００で締結して母屋受け接続部１５を母屋受け１０７に固定することにより、登り梁束接続金具５を増築部側の既存登り梁１０３の上面に固定する。これにより、図７及び図８に示すように、登り梁束接続金具５は、増築部側の既存登り梁１０３に固定される。
【００３３】
そして、図１１に示すように、新規登り梁接続部１１を新規登り梁１の２本のＣ型鋼１０４の間に挿入し、新規登り梁１の貫通孔１ａと新規登り梁接続部１１の貫通孔１１ａとを締結具（図示せず）で締結することにより、新規登り梁接続部１１を新規登り梁１に接続する。これにより、図７に示すように、新規登り梁束４は、既存登り梁束１０５の真上に鉛直に立設する。
【００３４】
以上により、図２に示すように、新規登り梁束４は増築部側の既存登り梁１０３と新規登り梁１との間に鉛直に立設して新規登り梁１を支持するので、新規登り梁１が立上り角度αで既存登り梁１００の延長上に設置される、即ち、図１に示すように、既存登り梁１００が増築部側の新規大棟の端部に向って延長されたこととなる。
【００３５】
なお、図１２に示すように、設計の都合上、新規登り梁束４を既存登り梁束１０５の真上からずらせて設ける場合には、設置部１２の他端部に母屋受け接続部１５が設けられた登り梁束接続金具３０を用い、該登り梁束接続金具３０の母屋受け接続部１５を母屋受け１０７に固定することにより、新規登り梁束４を増築部側の既存登り梁１０３に設置する。
【００３６】
更に、本実施の形態では、新規登り梁束４を１本のＣ型鋼１０４としたが、既存登り梁真束１０１と同様に２本のＣ型鋼１０４とすることも可能である。この場合の登り梁束接続金具４０は、図１３に示すように、設置部１２の長さは母屋受け１０７の設置間隔と略等しく、設置部１２の両端に母屋受け接続部１５が設けられている。
【００３７】
登り梁束接続金具４０と増築部側の既存登り梁１０３との接続は、図１４に示すように、２個の母屋受け１０７の間に、登り梁束接続金具４０を嵌め入れ、各母屋受け１０７の受け部１０９と各母屋受け接続部１５とを締結具２００で締結することにより行う。なお、新規登り梁束４と登り梁束接続金具５との接続は、新規登り梁束４の下端部及び登り梁束接続部１３の上端部に貫通孔をそれぞれ穿設して、これらの貫通孔を締結具２００で締結することにより行うが、登り梁束接続金具５の増築部側の既存登り梁１０３への嵌入角度が限定されるため、登り梁束接続金具５を増築部側の既存登り梁１０３に固定した後に接続することとする。
【００３８】
更にまた、本発明の実施の形態では、既存住宅の小屋組をトラス小屋組としているが、図１５に示すように、既存の小屋組を和小屋組とした場合においても同様であって、登り梁延長金具３を用いて新規登り梁１の端部２を既存登り梁真束１０１の上端部１０２に接続し、登り梁束接続金具５を用いて新規登り梁束４を増築部側の既存登り梁１０３と新規登り梁１間に鉛直に立設させる。
【００３９】
【発明の効果】
以上説明したように、本発明の請求項１に記載の登り梁の延長工法は、前記既存大棟の中間部下の垂直部材の頂部に設置される平部と、前記垂直部材の上端部に設置された頂部母屋受けに設置される頂部母屋受け接続部と、該母屋受け接続部の一側中央部から既存登り梁の立上り角度と略等しい立上り角度で立り上がる登り梁接続部とを有する登り梁延長金具を用い、新規登り梁の端部と前記登り梁接続部とを締結具で締結することにより、前記新規登り梁の端部を前記登り梁接続部に接続し、前記平部と前記垂直部材の頂部とを締結具で締結し、前記頂部母屋受け接続部と前記頂部母屋受けとを締結具で締結することにより、前記新規登り梁の端部を前記垂直部材の上端部に設置するとともに、下端部に増築部側の既存登り梁に設置される登り梁束接続金具と上端部に前記新規登り梁に接続する新規登り梁接続部とを有する新規登り梁束を用い、前記登り梁束接続金具と前記増築部側の既存登り梁とを締結具で締結することにより、前記登り梁束接続金具を前記増築部側の既存登り梁に固定し、前記新規登り梁束接続部と前記新規登り梁とを締結具で締結することにより、前記新規登り梁束接続部を前記新規登り梁に接続して、前記新規登り梁束を前記新規登り梁と前記増築側の既存登り梁との間に鉛直に立設させるので、既存の小屋組を全面的に解体することなく、既存大棟の中間部に設置された登り梁を増築部側の新規大棟の端部に向って延長させることができるという利点がある。
【００４０】
また、既存の小屋組を全面的に解体しないので、施工期間を短縮することができるだけでなく、労力を削減しながら作業性を向上させることができるという利点がある。
【００４１】
更に、新規登り梁の端部の頂部母屋受けへの接続、新規登り束の増築部側の既存登り梁及び新規登り梁への固定を締結具で締結することにより行うので、作業性の向上を図ることができるだけでなく、溶接接合と比べて、十分な安全性を確保することができるという利点がある。
【００４２】
更にまた、既存の小屋組を全面的に解体しないので、産業廃棄物の発生量を減少させることができるだけでなく、これを運搬して処理するための費用を削減することができるという利点がある。
【００４３】
そして、施工期間の短縮化により顧客に不便を強いる期間が短くなり、顧客の負担を軽減させることができるという利点がある。
【００４４】
請求項２に記載の登り梁の延長工法は、前記既存大棟の中間部下の垂直部材の頂部に設置される平部と、前記垂直部材の上端部に設置された頂部母屋受けに設置される頂部母屋受け接続部と、該母屋受け接続部の一側中央部から既存登り梁の立上り角度と略等しい立上り角度で立り上がり、新規登り梁の端部を接続した登り梁接続部とを有する登り梁延長金具を用い、前記平部と前記垂直部材の頂部とを締結具で締結し、前記頂部母屋受け接続部と前記頂部母屋受けとを締結具で締結することにより、前記新規登り梁の端部を前記前記垂直部材の上端部に設置するとともに、下端部に増築部側の既存登り梁に設置される登り梁束接続金具と上端部に前記新規登り梁に接続する新規登り梁接続部とを有する新規登り梁束を用い、前記登り梁束接続金具と前記増築部側の既存登り梁とを締結具で締結することにより、前記登り梁束接続金具を前記増築部側の既存登り梁に固定し、前記新規登り梁束接続部と前記新規登り梁とを締結具で締結することにより、前記新規登り梁束接続部を前記新規登り梁に接続して、前記新規登り梁束を前記新規登り梁と前記増築側の既存登り梁との間に鉛直に立設させるので、請求項１の利点に加えて、工事現場での施工の省力化を図ることができるという利点がある。
【００４５】
即ち、本発明の登り梁の延長工法によれば、施工の省力化、コストダウン及び廃棄物の削減を図ることができるという利点がある。
【図面の簡単な説明】
【図１】本発明の実施の形態に係る小屋組全体の概略を示す平面図である。
【図２】新規登り梁を含む小屋組を示す側面図である。
【図３】登り梁延長金具を示す斜視図である。
【図４】図２のＡ部分拡大図である。
【図５】図４の平面図である。
【図６】新規登り梁束及び登り梁束接続金具を示す斜視図である。
【図７】図２のＢ部分拡大図である。
【図８】図７の平面図である。
【図９】登り梁延長金具の頂部母屋受けへの接続手順を示す説明図である。
【図１０】図８のＣ部分における登り梁束接続金具の増築部側の既存登り梁への固定手順を示す説明図である。
【図１１】登り梁束接続金具の増築部側の既存登り梁への固定手順を示す説明図である。
【図１２】他の実施の形態の登り梁束接続金具を示す側面図である。
【図１３】他の実施の形態の登り梁束接続金具を示す平面図である。
【図１４】他の実施の形態の登り梁束接続金具を示す側面図である。
【図１５】和小屋組での新規登り梁を含む小屋組を示す側面図である。
【符号の説明】
１　新規登り梁
２　端部
３　登り梁延長金具
４　新規登り梁束
５　登り梁束接続金具
６　頂部母屋受け接続部
７　平部
８　登り梁接続部
１００　既存登り梁
１０１　既存登り梁真束（垂直部材）
１０２　上端部
１０３　増築部側の既存登り梁
１０６　頂部母屋受け
１１０　頂部
２００　締結具
【図１】
2004027745.tif 000003
【図２】
2004027745.tif 000004
【図３】
2004027745.tif 000005
【図４】
2004027745.tif 000006
【図５】
2004027745.tif 000007
【図６】
2004027745.tif 000008
【図７】
2004027745.tif 000009
【図８】
2004027745.tif 000010
【図９】
2004027745.tif 000011
【図１０】
2004027745.tif 000012
【図１１】
2004027745.tif 000013
【図１２】
2004027745.tif 000014
【図１３】
2004027745.tif 000015
【図１４】
2004027745.tif 000016
【図１５】
2004027745.tif 000017